(57)【要約】【課題】  耕耘土壌に対する粉粒体肥料の撹拌混合性を高めるたには、耕耘土壌が細砕されていることや、耕耘作用時の土壌の拡散、飛散、乃至反転性等が高いこと等が好ましい。【解決手段】  土壌面に施肥する施肥装置１と、この施肥された施肥土壌面を正回転駆動と逆回転駆動に切替えて撹拌耕耘する耕耘兼攪拌用爪２と、この耕耘土壌を畝立培土する左右一対の培土板３とから成る畝立施肥装置の構成とし、耕耘を比較的荒くする場合は、耕耘兼耕耘用爪２の回転を正回転方向に駆動して、前進走行しながら耕耘作業を行い、土壌耕耘を細砕したり、肥料の撹拌混合性を高めるときは、前記耕耘爪２を逆回転（アップカット方向の回転）駆動に切替えて伝動する。【選択図】  図１
2011092055.tif 000002
【特許請求の範囲】
【請求項１】
土壌面に施肥する施肥装置（１）と、この施肥された施肥土壌面を正回転駆動と逆回転駆動に切替えて撹拌耕耘する耕耘兼攪拌用爪（２）と、この耕耘土壌を畝立培土する左右一対の培土板（３）とから成る畝立施肥装置。
【請求項２】
前記左右の培土板（３）間には、耕耘兼攪拌用爪（２）の左右両側部にディスク（４）を設け、前記耕耘兼攪拌用爪（２）を正回転駆動するときは、このディスク（４）を耕耘兼攪拌用爪（２）と同方向回転駆動し、この耕耘兼攪拌用爪（２）を逆回転駆動するときは、ディスク（４）を回転自在の状態とすることを特徴とする請求項１に記載の畝立施肥装置。
【請求項３】
左右両側の培土板（３）と、この培土板（３）間に形成される畝土壌を逆回転駆動して耕耘する耕耘兼攪拌用爪（２）と、この培土板（３）の外側に位置する土壌を正回転駆動して耕耘する外耕耘爪（５）を配置して畝立施肥する畝立施肥装置。
【発明の詳細な説明】
【技術分野】
【０００１】
この発明は、施肥撹拌性を高める畝立施肥装置に関する。
【背景技術】
【０００２】
施肥装置によって施肥した土壌面を耕耘爪や、ディスク等によって耕耘攪拌する畝内部分施用の技術（例えば、特許文献１、２参照）が知られている。
【先行技術文献】
【特許文献】
【０００３】
【特許文献１】特開第３８０６７３５号公報（第３頁、図２）。
【特許文献２】特開２００７−８９５２３号公報（第１頁、図２）。
【発明の概要】
【発明が解決しようとする課題】
【０００４】
耕耘土壌に対する粉粒体肥料の撹拌混合性を高めるためには、耕耘土壌が細砕されていることや、耕耘作用時の土壌の拡散、飛散、乃至反転性等が高いこと等が好ましい。
【課題を解決するための手段】
【０００５】
請求項１に記載の発明は、土壌面に施肥する施肥装置１と、この施肥された施肥土壌面を正回転駆動と逆回転駆動に切替えて撹拌耕耘する耕耘兼攪拌用爪２と、この耕耘土壌を畝立培土する左右一対の培土板３とから成る畝立施肥装置の構成とする。
【０００６】
耕耘を比較的荒くする場合は、耕耘兼耕耘用爪２の回転を正回転方向に駆動して、前進走行しながら耕耘作業を行う。この耕耘兼攪拌用爪２の正回転駆動によって、施肥装置１により粉粒体肥料の施用された土壌を耕耘する。この耕耘兼攪拌用爪２の耕耘作用によって、肥料が耕耘土壌中に撹拌混合される。この肥料の撹拌混入された土壌は、左右の培土板３によって畝立培土される。又、土壌耕耘を細砕したり、肥料の撹拌混合性を高めるときは、前記耕耘爪２を逆回転（アップカット方向の回転）駆動に切替えて伝動することにより、耕耘される土壌の細砕性を高め、肥料の撹拌混合性を高める。このとき、耕耘爪２の逆回転駆動によって、駆動消費出力は大きくなるが、耕耘土壌を高く飛散して細砕、及び肥料の撹拌混合性を良好にする。
【０００７】
請求項２に記載の発明は、前記左右の培土板３間には、耕耘兼攪拌用爪２の左右両側部にディスク４を設け、前記耕耘兼攪拌用爪２を正回転駆動するときは、このディスク４を耕耘兼攪拌用爪２と同方向回転駆動し、この耕耘兼攪拌用爪２を逆回転駆動するときは、ディスク４を回転自在の状態とする。
【０００８】
前記のような畝立施肥において、耕耘兼攪拌用爪２の左右両側部のディスク４は、前記耕耘兼攪拌用爪２を正回転駆動するとき、この耕耘兼攪拌用爪２と同じ正回転方向へ駆動される。このため、耕耘土壌を左右ディスク４間の内側へ寄せるように作用する。
【０００９】
又、耕耘兼攪拌用爪２を逆回転するときは、このディスク４は回転自在のフリー状態として、動力駆動による回転は行われないで、耕耘土壌との間へ摩擦抵抗によって正回転駆動方向と同方向の回転状態となる。このため、このディスク４を耕耘爪２の正回転方向への駆動抵抗を軽減して、ディスク４の正回転駆動による土壌の移動をなくして、畝成形を円滑に行わせることができる。
【００１０】
請求項３に記載の発明は、左右両側の培土板３と、この培土板３間に形成される畝土壌を逆回転駆動して耕耘する耕耘兼攪拌用爪２と、この培土板３の外側に位置する土壌を正回転駆動して耕耘する外耕耘爪５を配置して畝立施肥する構成とする。
【００１１】
前記畝立施肥において、左右ディスク４間の耕耘兼攪拌用爪２の逆回転駆動によって、この畝成形部の耕耘土壌の拡散、飛散を高くして耕耘土壌の細砕性を良くし、施肥の撹拌混合性を良好にする。又、このとき耕耘兼攪拌用爪２の逆回転駆動によって左右ディスク４の外側に飛散、乃至移行される土壌が増しても、このディスク４の外側で正回転駆動される外耕耘爪５や、培土板３等による培土作用によって、畝幅の中央部側への培土寄せを円滑に行わせる。
【発明の効果】
【００１２】
請求項１に記載の発明は、土質や作物等により、細土状態の畝土壌成形を行わせるときは、左右ディスク４間の耕耘兼攪拌用爪２を逆回転駆動に切替えることができ、この耕耘兼攪拌用爪２の逆回転駆動による出力抵抗は増すも、耕耘兼攪拌用爪２の逆回転駆動による耕耘土壌の拡散、飛散、乃至細砕性を高めて、施肥撹拌混合性を有効、良好に維持することができる。しかも、このような耕耘兼攪拌用爪２の逆回転駆動の必要性のない条件のもとでは、正回転駆動として耕耘すればよく、作用条件に応じた有効で、効率的な畝立施肥を簡単な伝動切替操作で行うことができる。
【００１３】
請求項２に記載の発明は、前記のように畝立施肥成形の左右のディスク４間隔部において回転耕耘する耕耘兼攪拌用爪２を正回転駆動するときは、このディスク４を同じく正回転方向へ駆動して、畝立成形部の土壌を畝幅中央側へ寄せるように維持する。又、この左右のディスク４間隔部の耕耘兼攪拌用爪２を逆回転駆動して、耕耘土壌を細砕するときは、前記左右のディスク４を回転自在のフリー状態として、耕耘土壌との摩擦抵抗による回転を緩速に行わせて、土壌の外側等へ移動を少なくして、畝幅内での耕耘細砕土壌と施肥との撹拌混合作用を円滑、有効に行わせることができる。
【００１４】
請求項３に記載の発明は、畝立施肥作用において、左右ディスク４間隔内の耕耘兼攪拌用爪２の逆回転駆動によって、畝立成形土壌の細砕性を高めて、施肥との撹拌混合性を良好に維持することができる。又、このディスク４間隔内の逆回転駆動する耕耘兼攪拌用爪２によって、耕耘細砕される土壌部が、この左右のディスク４の外側へ飛散、移行されることが多いが、このディスク４の外側には正回転駆動される外耕耘爪５や、培土板３等があるために、これら安定した培土畝立施肥を円滑に行わせることができる。
【図面の簡単な説明】
【００１５】
【図１】畝立施肥装置部の背面図。
【図２】畝立施肥装置部の側面図（Ａ）と耕耘軸の側断面図（Ｂ）。
【図３】畝立施肥装置部の一部の耕耘軸部の伝動機構概要背面図（Ａ）、側面図（Ｂ）。
【図４】一部別実施例を示す畝立施肥装置部の伝動機構概要背面図。
【図５】一部別実施例を示す畝立施肥装置部の耕耘軸部の伝動機構図。
【図６】耕耘軸部の斜視図（Ａ）、ディスク部例の組付け状態側面図（Ｂ）、その分解状態側面図（Ｃ）。
【図７】攪拌部の異なる例を示す背面図（Ａ）、ディスクの側面図（Ｂ）。
【図８】攪拌部のさらに他の例を示す背面図（Ａ）。側面図（Ｂ）。
【図９】一部別実施例を示す畝立施肥装置の背面図。
【図１０】更に別別実施例を示す畝立施肥装置の背面図。
【発明を実施するための形態】
【００１６】
図面に基づいて、耕耘爪２，５を耕耘軸６周りに配置した耕耘ロータリ７を、センタドライブ形態の耕耘伝動ケース８の下端部に軸装し、この耕耘ロータリ７の後側部に培土板３を配置して、耕耘爪２，５の回転によって耕耘した土壌を培土して畝条を成形する形態である。
【００１７】
前記伝動ケース８上端を一体とする入力伝動ケース９は、ブラケット１０を有し、トラクタ１１車体後部下部に対して左右のロアリンク１２で連結される。また入力伝動ケース９の上部のトップマスト９ａとトラクタ１１車体の後上部に対してトップリンク１３に連結して、リフトアーム１４、及びリフトロット１５等を介して昇降可能の構成としている。
【００１８】
このトラクタ１１車体の後部には、ミッションケース１６上にリフトアーム１４を配置し、リヤフレーム１７を介してロプス１８、及びフェンダ１９等を取付支持する。リヤアクスルハウジング２０の両横端に後輪２１を軸装２２して、前輪操向による四輪走行形態の乗用トラクタを構成している。
【００１９】
又、前記ミッションケース１６の後端にはＰＴＯ軸１１ａを配し、前記入力伝動ケース９の入力軸２３との間を図外自在継手連動軸で連結して、耕耘軸６を伝動回転することができる。
【００２０】
前記ロアリンク１２及びトップリンク１３によるリフトリンクの後端に連結される作業フレーム２４の後部に、左右方向に沿う横枠２５を連結し、この横枠２５に各培土板３を取付ける。又、作業フレーム２４の上側には、粉粒剤からなる肥料を収容する施肥ホッパー２６、この施肥ホッパー２６から流下供給される肥料を繰出す繰出ロールをロール軸２７で回転するように軸装する繰出ケース２８、及びこの繰出ケース２８から繰出される肥料を流下案内する施肥ホース２９等からなる施肥装置１を取付配置し、この各施肥ホース２９の下端落口４４部を、前記耕耘爪２回転部の前側土壌面上位置にのぞませている。
【００２１】
なお、図例では左右一対の施肥装置１ａ，１ａと中央やや前位に配置した施肥装置１ｂの都合３基の施肥装置を構成して、夫々の施肥装置から同種の肥料又は異なる肥料を供給し得る構成としている。
【００２２】
前記耕耘ロータリ７は、培土板３によって畝面Ａを成形される部分に対向して、耕耘兼攪拌用爪２を取付ける。この耕耘兼攪拌用爪２は、爪先の曲り方向を左右対向する方向に設定して、耕耘土壌を畝面Ａ幅の中央部寄りに移行するよう耕耘兼攪拌用爪２の土壌反転面を形成する。
【００２３】
又、前記ディスク４は、この耕耘兼攪拌用爪２の左右外側部に位置させて、耕耘軸６に取付ける。そして、各ディスク４は、畝面Ａ幅の外側縁近くに位置して、土壌面Ｂ下の適宜耕深位置に喰い込んで回転駆動する。又、このディスク４は単なる円盤形状の形態とすることもできるが、畝面Ａ側に耕耘用の小突爪を形成したり、図示例のようにイチョウの葉形状に形成した花形盤を用いることもできる。
【００２４】
各ディスク４の外側には、外耕耘爪５，５を配置して、耕耘軸６に取付け、一体回転駆動する構成としている。これら外耕耘爪５の爪先は、培土板３の位置する畝面Ａ側に向けて曲げられた土壌反転面を形成する。また、前記耕耘伝動ケース８の左右には内耕耘爪６ａを配設している。内耕耘爪６ａは同一平面に位相を異にして複数配設し、爪先を内側又は外側に向けて曲げた構成としている。
【００２５】
このように耕耘ロータリ７の上側面にはロータカバー３０を有し、左右両端部にはサイドカバー３１を設けている。
ここにおいて、この畝立施肥装置は、土壌面に施肥する施肥装置１と、この施肥された施肥土壌面を正回転駆動と逆回転駆動に切替えて撹拌耕耘する耕耘兼攪拌爪２と、この耕耘土壌を畝立培土する左右一対の培土板３とから成る畝立施肥装置の構成とする。
【００２６】
耕耘を比較的荒くする場合は、耕耘兼攪拌爪２の回転を正回転方向に駆動させて、前進走行しながら耕耘作業を行う。この耕耘攪拌耕耘爪２の正回転駆動によって、施肥装置１により粉粒体肥料の施用された土壌面を耕耘する。この耕耘爪２の耕耘作用によって、肥料が耕耘土壌中に撹拌混合される。この肥料の撹拌混入された土壌は、左右の培土板３によって畝培土される。
【００２７】
又、土壌耕耘を細砕したり、肥料の撹拌混合性を高めるときは、前記耕耘兼攪拌爪２を逆回転（アップカット方向の回転）駆動に切替えて伝動することにより、耕耘される土壌の細砕性を高め、肥料の撹拌混合性を高める。このとき、耕耘兼攪拌用爪２の逆回転駆動によって、駆動消費出力は大きくなるが、耕耘土壌を高く飛散して細砕、及び肥料の撹拌混合性を良好にする。
【００２８】
前記耕耘兼攪拌用爪２、ディスク４、外耕耘爪５及び内耕耘爪６ａを有する耕耘軸６を伝動回転する伝動機構は、入力伝動ケース９内に操作レバー等によって切替えられる切替クラッチ３３を軸３４に一体回転可能でかつ摺動自在に装着し、入力軸２３からベベルギヤ３５を介してこの軸３４を連動回転し、この軸３４上のスプロケット３６を回転する。
【００２９】
又、前記切替クラッチ３３をスプロケット３６から外してギヤ３７側へ噛合させることによって、このギヤ３７から反転スプロケット３８、及びこの軸３９を回転する。これら各軸３４、３９上のスプロケット３３、３８と、前記耕耘軸６上のスプロケット４０との間にわたってチエン４１を掛け渡して、前記切替クラッチ３３の切替えによって、耕耘軸６が正回転方向Ｅへ回転したり、逆回転方向へ回転伝動することができる。もって、前記耕耘兼攪拌用爪２を正回転方向Ｅ又は逆回転方向に切換えることができる。
【００３０】
又、前記培土板３は、一進行方Ｆの走行によって左右２条の畝面Ａを形成する形態として、中央部に左右両培土形態の培土板３を設け、この外側に片培土形態の培土板３を設ける。
【００３１】
前記耕耘軸６に沿って配置する耕耘兼攪拌用爪２、乃至ディスク４を、正回転方向Ｅの回転駆動によって耕耘する正回転用耕耘爪と、逆回転方向の回転駆動によって耕耘する逆回転用耕耘爪とを交互に配設する形態として、前記ディスク４間隔内部の土壌は逆回転の耕耘爪で耕耘砕土し、それ以外の土壌は正回転駆動によって荒耕耘により耕耘出力を軽減する形態とすることが可能である。
【００３２】
又、前記施肥ホース２９、及びこの落口４４を、ロータカバー３０の上側位置に設けることによって、耕耘爪２の逆回転による耕耘土壌に押されて施肥詰りを防止することができる。
【００３３】
又、この施肥ホース２９の落口４４を耕耘爪２の回転域より後方に設けて、耕耘土壌に押されない状態に施肥することもできる。
次いで図２に基づいて、前記左右の培土板３間には、耕耘爪２の左右両側部にディスク４を設け、前記耕耘爪２を正回転駆動するときは、このディスク４を耕耘爪２と同方向回転駆動し、この耕耘爪２を逆回転駆動するときは、ディスク４を回転自在の状態とする。
【００３４】
前記のような畝立施肥において、耕耘爪２の左右両側部のディスク４は、前記耕耘爪２を正回転駆動するとき、この耕耘爪２と同じ正回転方向へ駆動される。このため、耕耘土壌を左右ディスク４間の内側へ寄せるように作用する。又、耕耘爪２を逆回転するときは、このディスク４は回転自在のフリー状態として、動力駆動による回転は行われないで、耕耘土壌との間へ摩擦抵抗によって正回転駆動方向と同方向の回転状態となる。このため、このディスク４を耕耘爪２の正回転方向への駆動抵抗を軽減して、ディスク４の正回転駆動による土壌の移動をなくして、畝成形を円滑に行わせることができる。
【００３５】
前記畝幅Ａの外縁部において回転するディスク４は、耕耘爪２を一体として回転する耕耘軸６に対してワンウエイクラッチ（ラチェット）４２を介して回転するディスクボス４３に取付け、この耕耘軸６を正回転方向Ｅへ駆動するときは、このワンウエイクラッチ４２を介してディスクボス４３、及びディスク４を同方向Ｅへ回転駆動して、土壌面を耕耘し、施肥を撹拌混合する。又、耕耘兼攪拌爪２を逆回転方向へ回転駆動するときは、このワンウエイクラッチ４２の作用によって、ディスク４が回転駆動しないで、フリーの状態となるため、耕耘土壌面との間の摩擦抵抗によって回動することができる。
【００３６】
又、図４、図５に示す畝立施肥装置は、左右両側の培土板３と、この培土板３間に形成される畝立用土壌を逆回転駆動して耕耘する耕耘兼攪拌用爪２と、この培土板３の外側に位置する土壌を正回転駆動して耕耘する外耕耘爪５を配置して畝立施肥することを特徴とする。
【００３７】
前記畝立施肥において、左右ディスク４間の耕耘兼攪拌用爪２の逆回転駆動によって、この畝成形部の耕耘土壌の拡散、飛散を高くして耕耘土壌の細砕性を良くし、施肥の撹拌混合性を良好にする。又、このとき耕耘兼攪拌用爪２の逆回転駆動によって左右ディスク４の外側に飛散、乃至移行される土壌が増しても、このディスク４の外側で正回転駆動される外耕耘爪５や、培土板３等による培土作用によって、畝幅の中央部側への培土寄せを円滑に行わせる。
【００３８】
前記外耕耘爪５を正回転方向Ｅへ駆動するために（図４、図５）、この外耕耘爪５の外耕耘軸６１を、中央部の耕耘伝動ケース８に軸受けする耕耘軸６とは別のサイドケース６２に軸受けする。入力伝動ケース９の左右両側方にケースフレーム６３を突出させて、このケースフレーム６３の両端から下方にサイドケース６２を形成して、下端部の外耕耘軸６１を片持形態に軸受けする。
【００３９】
前記入力軸２３からベベルギヤ６４を介して連動軸６５へ伝動し、カウンタギヤ６６を介して、耕耘伝動ケース８のチエン４１、及び耕耘軸６を逆回転方向へ伝動回転する。又、ケースフレーム６３内の連動軸６５、及びこの外側端のサイドケース６２内のチエン６７等を介して、外耕耘軸６１を正回転方向Ｅに回転駆動する。なお、耕耘伝動ケース８の左右に位置する内耕耘爪６ａは、耕耘軸６に装着されて逆回転連動するものである。
【００４０】
次に、図６に基づいて、前記ディスク４、乃至花形耕耘ロータ４５等の着脱を、耕耘軸６の外周部に挾み付けて着脱する割形メタル４６を用いる。この割形メタル４６は、ヒンジ４７を有して二つ割に開閉できる。一部に耕耘軸６の耕耘爪２を取付ける爪ソケット４８に嵌合するソケット穴４９を形成し、このソケット穴４９を爪ソケット４８に嵌合させて、耕耘軸６周りに巻付けるようにして取付け、この爪ソケット４８のピン穴５０と、割形メタル４６の外周に形成の取付ラグ５１のピン穴５２にわたって、ボルト５３を差し込んで、ナット５４を締め込むことによって、ディスク４等を取付けるための特殊形態の耕耘爪取付ホルダとしての割形メタル４６を得ることができる。この取付ラグ５１にはピン穴５５を有して、各種のディスク４や、耕耘ロータ４５等を取付できる。
【００４１】
図７は耕耘兼攪拌爪２に代替する攪拌手段を構成するものである。すなわち、左右のディスク４間を連接すべく杆状部材７０を設ける。ディスク４の回転に伴ない、杆状部材７０は回転し、土壌を耕耘し施肥される肥料を攪拌するものである。簡単な構成で土壌の攪拌を行うことができる効果がある。またディスク４を接続する構成とした場合にはこのディスク４の補強が図れる。杆状部材としては、図例のようにディスク４を接続する長尺でボルト形態の芯軸７０ａとこれに嵌合するパイプ材７０ｂによる構成とし、半径方向に複数の杆状部材を配設している。このように構成すると、ディスク４の左右間隔をパイプ材７０ｂの間隔に保持する構成が簡単で有効である。またディスク４は１枚の円盤型でも良いが、前記した実施例のように土壌の跳ね上げ耕耘機能を備えたディスク４とするのが望ましい。
【００４２】
また、図８は、ディスクの改良構造を示す。従来は特許文献１又は特許文献２に示すように耕耘軸に装着され一体で回転しうる構成であったため、ディスクの磨耗が激しく、改善がのぞまれている。そこで、図８に示すように、ディスク７５の中央には耕耘爪を貫通し得る孔部７５ａを形成し、このディスク７５を耕耘ロータリ７６の上面を覆うロータリカバー７７の下面に装着する構成として、耕耘土壌がディスク７５より外側に移動するのを阻止して耕耘兼攪拌爪２による部分攪拌施肥を可能に構成する。なお、ディスク７５の具体的な取付手段は、ロータリカバー７７の下面に着脱自在に装着するブラケット７８にボルト、ナット等の固定具により耕耘軸６に貫通させたディスク７５を固着する構成としている。
【００４３】
このように構成すると、ディスク７５で左右仕切られた区画内において耕耘と共に施肥された肥料を攪拌することができるものである。ディスク７５はロータリカバー７７に固着する構成であるから、構成を簡単とすることができコスト低廉につながる。またブラケット７８のロータリカバー７７に対する固定位置を縦横に変更可能に構成する、例えば十文字に形成した孔に沿って縦横調整することにより、畝幅や細土製を向上できる。
【００４４】
図９、図１０は多条の畝立施肥装置の構成を示すものである。共に５条の畦を形成するが、図９に示す構成は、中央の耕耘伝動ケース８と隣接する補助ケース７２，７２…の対応する箇所に畝面を形成すべく５条の培土板３を配設している。補助ケース７２には適宜に図４に類似する伝動機構を具備させてもよく、補助ケース７２は専ら耕耘軸６の支持機構とする構成でもよい。
【００４５】
図１０に示す中央の耕耘伝動ケース８および複数の補助ケース７３，７３…を具備してなるが、隣接するケース間に畝面が形成されるように培土板３を５条分配設している。なお、図９及び図１０においても図示は省略するが施肥装置を備え夫々の畝立部に施肥する構成である。このように、多条の畝立施肥装置を構成すると、作業能率を向上することができる。
【符号の説明】
【００４６】
１    施肥装置
２    耕耘兼攪拌用爪
３    培土板
４    ディスク
５    外耕耘爪
６    耕耘軸
【図１】
2011092055.tif 000003
【図２】
2011092055.tif 000004
【図３】
2011092055.tif 000005
【図４】
2011092055.tif 000006
【図５】
2011092055.tif 000007
【図６】
2011092055.tif 000008
【図７】
2011092055.tif 000009
【図８】
2011092055.tif 000010
【図９】
2011092055.tif 000011
【図１０】
2011092055.tif 000012